(57)【要約】【課題】利用者が自動洗車又は手動洗車を自由に選択できるし、手動洗車は洗車工程を利用者が操作スティックを操作して行うので、汚れ具合に応じて水と洗剤による洗車や撥水剤の塗布も重点的に行うことが可能で、利用者が納得できる洗車を行うことができる自動・手動選択式洗車装置を提供する。【解決手段】洗車ブース１の両側上方に、支持体２を介して左右一対のガイドレール３、３が配設してある。一対のガイドレール３、３間に搭載した洗車機構５は、前後方向に進退可能なアーム駆動体６と、逆Ｌ字状管からなり、アーム駆動体６により水平方向に旋回駆動される噴射管１１とから構成してある。洗車機構５を自動洗車又は手動洗車に選択的に操作し、また手動洗車の工程を操作する操作部１８は支持体２に配置してあり、ケーシング１９には操作スティック２８が設けてある。【選択図】図１
2010064700.tif 000002
【特許請求の範囲】
【請求項１】
前後から見て洗車ブースの両側上方に、支持体を介して配設した左右一対のガイドレールと、該一対のガイドレール間に搭載した洗車機構と、該洗車機構を操作する操作部とからなり、前記洗車機構は前記ガイドレールに案内されて前後方向に進退可能なアーム駆動体と、複数の噴射ノズルを有する逆Ｌ字状管からなり、該アーム駆動体に支持されて水平方向に旋回駆動される噴射管とから構成し、前記操作部は前記洗車ブースの近傍に配置し、前記洗車機構を自動洗車又は手動洗車に選択する機能と、手動洗車を選択した場合に該洗車機構を操作する機能を有することを特徴とする自動・手動選択式洗車装置。
【請求項２】
前記洗車機構による手動洗車は、前記操作部に設けた操作スティックを操作することによって行うことを特徴とする請求項１記載の自動・手動選択式洗車装置。
【請求項３】
前記操作スティックは、前記噴射管を前後及び左右方向に変位可能であることを特徴とする請求項２記載の自動・手動選択式洗車装置。
【請求項４】
前記操作部には、前記洗車機構の作動状況に応じて前記操作スティックの操作方向の可又は否をその都度認識させる標識が表われるようにしてあることを特徴とする自動・手動選択式洗車装置。
【発明の詳細な説明】
【技術分野】
【０００１】
本発明は、利用者が自動洗車と手動洗車を自由に選択することができ、また手動洗車は操作スティックで機器を操作することにより行うようにした自動・手動選択式洗車装置に関する。
【背景技術】
【０００２】
洗車装置は、洗浄水噴射、洗剤噴射、泡洗剤、撥水剤塗布といった各洗車工程を全自動で車両に対して均一に行う自動式洗車装置や、洗車工程が異なる複数のコースから任意のコースを選択して洗車するコース選択式自動洗車装置がある。しかし、いずれの洗車装置も車両に対して均一な洗車工程を行うため、利用者が汚れ具合から判断して重点的に洗浄したいと思う箇所や、撥水剤を念入りに塗布したいと思う箇所があっても対応できないという欠点がある。
【０００３】
上記欠点を解決する方法として、洗車工程の途中で手洗い洗車の工程を行うようにした洗車装置が提案されている。この洗車装置は、自動車を跨ぐように配設するフレームに取り付けた台車走行レールに、自動車を挟むように左右一対のスイングアームを吊下し、スイングアームに噴射ノズルを設けて構成し、制御部による高圧洗浄、泡散布を行った後洗車動作を一旦停止し、利用者等による手洗い洗車を行うというものである（特許文献１）。
【特許文献１】特開２００５−１９３７３２号公報
【発明の開示】
【発明が解決しようとする課題】
【０００４】
上述した特許文献１に示す技術は、自動の洗車工程の中に手洗い工程を組み入れることで汚れを入念に洗浄することはできるが、高圧洗浄と泡散布は自動で行うことから、特に強固に泥が付着している箇所を入念に高圧洗浄することや、泡塗布することは行わない。このため、利用者は汚れが目立つ箇所を更に水による洗浄と泡塗布を手洗いで行わなければならないという欠点がある。
【０００５】
本発明は上述した従来技術の欠点に鑑みなされたもので、利用者が自動洗車又は手動洗車を自由に選択できるものとし、手動洗車を選択した場合には洗車工程の全てを利用者が操作スティックを操作して行うので、汚れ具合に応じて水による洗浄や洗剤の塗布も重点的に行うことが可能であることから利用者自身が満足できる洗車を行うことができる自動・手動選択式洗車装置を提供することを目的とする。
【課題を解決するための手段】
【０００６】
上述した課題を解決するために構成した本発明の手段は、前後から見て洗車ブースの両側上方に、支持体を介して配設した左右一対のガイドレールと、該一対のガイドレール間に搭載した洗車機構と、該洗車機構を操作する操作部とからなり、前記洗車機構は前記ガイドレールに案内されて前後方向に進退可能なアーム駆動体と、複数の噴射ノズルを有する逆Ｌ字状管からなり、該アーム駆動体により水平方向に旋回駆動される噴射管とから構成し、前記操作部は前記洗車ブースの近傍に配置し、前記洗車機構を自動洗車又は手動洗車に選択的に操作する機能と、手動洗車を選択した場合に該洗車機構を操作する機能を有するものからなる。
【０００７】
そして、前記洗車機構による手動洗車は、前記操作部に設けた操作スティックを操作することによって行う構成にするとよい。
【０００８】
また、前記操作スティックは、前記噴射管を前後及び左右方向に変位操作が可能にするとよい。
【０００９】
また、前記操作部には、前記洗車機構の作動状況に応じて前記操作スティックの操作方向の可又は否をその都度認識させる標識が表われるようにするとよい。
【発明の効果】
【００１０】
本発明は上述の如く構成したから、下記の諸効果を奏する。
（１）噴射管を水平方向に旋回駆動する洗車機構による自動洗車又は手動洗車の利用者は操作部によって選択できるし、利用者は手動洗車の全ての工程を操作部により手動で行うことができるから、利用者は汚れ具合に応じた入念な洗車を行うことができる。
（２）手動洗車は操作部に設けた操作スティックによって全ての洗車工程を行うことができるから、利用者は汚れ具合に応じて水洗い、泡塗布等を入念に行うことができるので、仕上がりのよい洗車を効率的に行うことができる。
（３）操作スティックの操作により、噴射管は前後及び左右方向に変位可能に構成したから、汚れ具合に応じた重点的な洗車ができるし、面倒な洗車作業を遊び感覚で行うことができる。
（４）操作部には、洗車機構の作動状況に応じて操作スティックの操作方向の可又は否をその都度認識させる標識が表われるようにしたから、初心者でも噴射管を車両に接触させるといった事態を確実に防止でき、安全性に優れている。
【発明を実施するための最良の形態】
【００１１】
以下、本発明の実施の形態を図面に基づき詳述する。図１乃至図３において、１は洗車ブースで、該洗車ブース１の床面の後方には排水溝が設けてある。２、２は洗車ブース１の前後から見て左右両側の位置に立設した支柱からなる各一対の支持体で、該各支持体２は前後方向に離間して立設してある。３、３は該各一対の支柱２、２間に架設したガイドレールで、該各ガイドレール３はブラケット４によって支柱２に支持させてある。
【００１２】
５は前記一対のガイドレール３、３間に搭載した洗車機構を示す。６は該洗車機構５を構成するアーム駆動体で、該アーム駆動体６は前後一対の支持材７、７と、該支持材７、７の両端に設けられ、ガイドレール３に係合した走行部８、８と、支持材７、７の中間に搭載され、後述する噴射管１１を旋回駆動するアーム駆動部９と、該アーム駆動部９により水平方向に旋回する支持アーム１０とから構成してあり、矢示イ、ロ方向の前後方向に走行するようになっている。
【００１３】
ここで、走行部８は基体８Ａと、該基体８Ａに設けた可逆モータからなり、ガイドレール３にダイレクトドライブする走行モータ８Ｂと、過剰走行を防止する走行リミット検出センサ８Ｃとから構成してある。
【００１４】
アーム駆動部９は、支持材７、７に固定した基体９Ａと、該基体９Ａに支持され、支持アーム１０を旋回させる可逆モータからなるアーム駆動モータ９Ｂと、旋回原点検出センサ９Ｃと、噴射管１１の旋回量を検出する旋回パルス検出センサ９Ｄとから構成してある。
【００１５】
また、支持アーム１０は、アーム駆動モータ９Ｂの駆動軸に連結され、前記支持材７、７の下方位置で横方向に伸長する角筒状の腕部１０Ａと、該腕部１０Ａの先端に垂設した長尺材からなる縦支持部１０Ｂとから略逆Ｌ字状に形成してある。
【００１６】
１１は前記支持アーム１０の腕部１０Ａから斜めに屈曲して縦支持部１０Ｂに沿って略逆Ｌ字状に支持され、水平方向に旋回する噴射管を示す。該噴射管１１は洗浄水と撥水剤を噴出する水・撥水剤ホース１２と、洗剤ホース１３と、泡送液ホース１４の３系統から構成してあり（図６参照）、ホース１２には水・撥水剤噴射ノズル１２Ａ、ホース１３には洗剤噴射ノズル１３Ａ、ホース１４には泡噴射ノズル１４Ａが適宜の間隔で設けてある。
【００１７】
また、縦支持部１０Ｂの下端には泡噴射可動ノズル１４Ｂが軸支してあり、該泡噴射可動ノズル１４Ａは腕部１０Ａの先端側から縦支持部１０Ｂに設けたノズル駆動モータ１５Ａ、クランク機構部１５Ｂ、連接棒１５Ｃからなる泡ノズル上下動機構１５によって上下方向に伏仰動するようになっている。
かくして、噴射管１１は、洗浄する車両Ａ(以下、洗浄車Ａという。)の屋根、側面、前面及び後面並びにタイヤ等の足回りにかけて、洗浄水、洗剤、泡洗剤、撥水剤を噴射することにより洗浄し、特に泥が付着して汚れ易い足回りは泡噴射可動ノズル１４Ｂを伏仰動させることによって広く、均等に泡噴射をすることができる。
【００１８】
１６はアーム駆動体６の各走行部８から垂下されたセンサ取付管を示し、該センサ取付管１６は噴射管１１の旋回運動の障害にならないように、噴射管１１の旋回半径外側に配設してある。そして、センサ取付管１６には上下に離間して光電センサからなる車両検出センサ１７、１７が設けてあり、洗浄Ａの前面端及び後面端を検出して操作部１８にその信号を送るようになっている。
【００１９】
なお、図示していないが、洗車ブース１は横に洗車ブース１を並列して一対の組に構成してあり、両洗車ブース１、１の間に機械室を設けると共に、洗車水、泡洗剤、撥水剤の各収容タンクとポンプからなる給水ユニットを配置し、噴射管１１は洗浄水、洗剤、泡洗剤、撥水剤の収容タンクと給液ホースを介して連通している。
【００２０】
次に、１８は洗車機構５を自動洗車又は手動洗車に選択し、また手動洗車を選択した場合の機器の操作を行うための操作部を示す。該操作部１８は防水構造のケーシング１９内にマイクロコンピュータからなる制御盤、料金カウンター、カードリーダー、タイマー等を収容して構成してあり、制御盤には洗車機構５のリミット検出センサ８Ｃ、アーム駆動モータ９Ｂ、旋回原点検出センサ９Ｃ、旋回パルス検出センサ９Ｄ、ノズル駆動モータ１５Ａ、車両検出センサ１７が夫々電気的に接続してある。
【００２１】
ケーシング１９の一側パネル１９Ａには操作説明部２０、コイン投入口２１Ａ及びカード挿入口２１Ｂからなる料金支払い部２１、釣銭返却口２２、タイマー表示部２３、自動洗車２４Ａの他に、自動洗車＋手洗いコース２４Ｂ、自動洗車＋撥水コース２４Ｃ等の複数のコースから任意の自動コースを選択できる自動洗車選択スイッチ群２４、スタートボタン２５、非常停止スイッチ２６が設けてある。他方、他側パネル１９Ｂは手動洗車する場合の操作面になっており、高圧水、泡洗剤、撥水剤等を選択する手動洗車選択スイッチ群２７、操作スティック２８、走行速度選択スイッチ２９及びスタートボタン３０が夫々設けてある。
【００２２】
ここで、本実施の形態の特徴である操作スティック２８の機能について説明する。操作スティック２８は、利用者が操作スティック２８によって噴射管１１を前後、左右の各方向に操作するためのもので、ある種のゲーム機の操作や、所謂ラジコンの操縦操作と同じような感覚で洗車ができるという楽しさがあるし、操作スティック２８は十字の四方向に操作するだけなので、慣れていない利用者でも容易に操作することができる。また、前記走行速度選択スイッチ２９とは別に、操作スティック２８は、倒した状態を続けていると、一定時間の経過毎に噴射管１１の速度を自動的に上げるといった操作も可能にしてある。
【００２３】
そして、操作スティック２８の各操作方向に表した前、後、左、右の各文字２８Ａ〜２８Ｄは操作状況に応じて操作可の場合にのみ点灯するようにしてあり、点灯している文字の方向へのみ操作可とすることで、誤操作を確実に防止するようにしてある。
【００２４】
次に、本実施の形態に係る自動・手動選択式洗車装置の作動について説明する。先ず、洗浄車Ａを洗車ブース１に乗入れる。洗浄車Ａがオーバーランや脱輪により洗車ブース１内の所定の位置に乗り入れていない場合には、光電センサが検知して制御盤に信号を送って警告することで、利用者は洗浄車Ａを適切な位置に入れ直しする。しかる後、利用者は自動洗車のコース又は手動洗車のコースを選択し、所定の料金を現金又はカードで支払い、スタートボタン２５(３０)を押す。
【００２５】
自動洗車を選択した場合には、制御盤によるシーケンス制御によって水洗い工程、洗剤塗布工程、泡洗浄工程、すすぎ工程、撥水剤塗布工程が順次自動的に行われる。このシーケンス制御自体は、従来の洗車装置と基本的に異なるところはない。また、予め選択することで、手洗い工程を組み入れた自動洗車コースにすることも可能である。
他方、手動洗車を選択した場合は、利用者は噴射管１１の走行速度や洗浄水の水圧を選択し、操作スティック２８を「前」２８Ａ、「後」２８Ｂ、「左」２８Ｃ、「右」２８Ｄの各文字の方向に操作することにより、アーム駆動部９を移動させ、また噴射管１１を図８に示すように矢示ハ、ニ方向に旋回駆動することにより、洗浄車Ａの側面、前面、側面、後面の順に移動させて各洗浄工程を行うことができる。
【００２６】
この場合、利用者は操作スティック２８を操作することにより、汚れのひどい部分に対して水洗い、洗剤の塗布、泡洗剤、洗浄等の各工程を重点的に行うことができるので、強固な汚れも確実に除去することができるし、満足のいく洗車ができる。また、これらの操作過程で、噴射管１１が例えば洗浄車Ａの側面側に位置して洗浄車Ａに対して旋回させるべきでない状態では、「左」２８Ｃ及び「右」２８Ｄの文字は点灯しないこと、及び音声による警告のアナウンスにより、操作上の安全性が確保してある。
【００２７】
洗車機構５は選択された速度でガイドレール３、３を矢示イ方向に移動しつつ利用者の選択により噴射管１１から洗浄水（洗剤、撥水剤）を噴射し、また車両検出センサ１７、１７、・・が洗浄車Ａの前側を検出すると噴射管１１は旋回可能と判断されて操作スティック２８の「左」２８Ｃの文字が点灯することで、利用者は操作スティック２８を右方向に操作することにより、噴射管１１を右旋回させて洗浄車Ａの前面側を洗浄することができる。同様にして、操作スティック２８の操作により、洗浄車Ａの後面側を洗浄することができる。このように、利用者は操作スティック２８を操作することにより噴射管１１を自在に作動させることができるから、納得出来る洗車を行うことができる。
【００２８】
なお、利用者が不注意や不慣れのために洗浄機構５の操作が遅れた場合には、アーム駆動体６のリミット検出センサ８Ｃがガイドレール３の終端を検知して制御盤に信号を送り、アーム駆動体６の走行を停止する。
【００２９】
なお、本実施の形態では車両１台の洗車装置について説明したが、洗車装置を横に２基連結して構成してもよい。このように構成することにより、支持体２、機械室等を共用することで設備費を削減できるし、稼動効率を高めることができる。
【図面の簡単な説明】
【００３０】
【図１】本発明の実施の形態に係る自動・手動選択式洗車装置の全体構成を示す斜視図である。
【図２】同装置の一部を破断にして示す部分平面図である。
【図３】同装置の一部を破断にして示す正面図である。
【図４】支持アームと噴射管の構成を示す拡大図である。
【図５】図４中のＶ−Ｖ矢示方向断面図である。
【図６】図５中のＶＩ−ＶＩ矢示方向拡大断面図である。
【図７】同装置を構成する操作部の斜視図である。
【図８】噴射管の作動範囲を示す説明図である。
【符号の説明】
【００３１】
１        洗車ブース
２        支持体
３        ガイドレール
５        洗車機構
６        アーム駆動体
１１      噴射管
１２Ａ    水・撥水剤噴射ノズル
１３Ａ    洗剤噴射ノズル
１４Ａ    泡噴射ノズル
１４Ｂ    泡噴射可動ノズル
１８      操作部
２８      操作スティック
【図１】
2010064700.tif 000003
【図２】
2010064700.tif 000004
【図３】
2010064700.tif 000005
【図４】
2010064700.tif 000006
【図５】
2010064700.tif 000007
【図６】
2010064700.tif 000008
【図７】
2010064700.tif 000009
【図８】
2010064700.tif 000010